(57)【要約】本発明にかかるフットレスト装置は、下肢のマッサージを行う面を前面にする姿勢と下肢載置面を前面にする姿勢との双方でフットレストの姿勢変更及びその固定を可能とするものである。本発明にかかるフットレスト装置は、椅子２前部から前方に突出する左右一対の支持部材３，３と、この支持部材３，３間に横軸４回り回動自在に枢支され、一方面に下肢用マッサージ部５を備えると共に他方面に下肢６４を載置可能な下肢載置面６を備えたフットレスト７と、支持部材３とフットレスト７との間に、下肢用マッサージ部５が前方を向くマッサージ姿勢と下肢載置面６が前方を向くレスト姿勢とにフットレスト７を姿勢変更可能にする姿勢変更機構８とを有している。
2004021961.tif 000002
【特許請求の範囲】
【請求項１】
椅子（２）前部から前方に突出する左右一対の支持部材（３）（３）と、
この支持部材（３）（３）間に横軸（４）回り回動自在に枢支され、一方面に下肢用マッサージ部（５）を備えると共に他方面に下肢（６４）を載置可能な下肢載置面（６）を備えたフットレスト（７）と、
前記支持部材（３）とフットレスト（７）との間に、前記下肢用マッサージ部（５）が前方を向くマッサージ姿勢と前記下肢載置面（６）が前方を向くレスト姿勢とにフットレスト（７）を姿勢変更可能にする姿勢変更機構（８）と、
が備えられていることを特徴とするフットレスト装置。
【請求項２】
前記姿勢変更機構（８）は、フットレスト（７）を前記マッサージ姿勢で位置固定するための被係合部（１２Ａ）と前記レスト姿勢で位置固定するための被係合部（１２Ｂ）とが周縁部（１１）に形成され、且つ前記横軸（４）に同軸状に設けられている円板状の回転被係合体（１３）と、
この回転被係合体（１３）の径方向に遠近移動すると共に、近方向移動で前記各被係合部（１２Ａ）（１２Ｂ）に択一的に係脱自在に係合して当該回転被係合体（１３）の回動を規制する係合体（１４）と、
この係合体（１４）を遠方向に移動させて前記係合を解除する解除手段（１５）と、
この解除手段（１５）による解除状態を保持する解除保持手段（１６）と、
この解除保持手段（１６）を非保持状態にすることで、係合体（１４）を回転被係合体（１３）に係合させる係合復帰手段（１７）と、
を有することを特徴とする請求項１に記載のフットレスト装置。
【請求項３】
前記解除手段（１５）は、係合体（１４）を回転被係合体（１３）から遠方向に離反移動させる解除操作体（５５）を有することを特徴とする請求項２に記載のフットレスト装置。
【請求項４】
前記解除操作体（５５）は、支持部材（３）の外面に設けられていることを特徴とする請求項３に記載のフットレスト装置。
【請求項５】
前記解除保持手段（１６）は、係合体（１４）に設けられた係止部（２３）と、
前記係合体（１４）が遠方向に離反した状態で前記係止部（２３）に係合可能な被係合部（２４）を備える解除保持部材（２５）と、
を有していることを特徴とする請求項３に記載のフットレスト装置。
【請求項６】
前記係合復帰手段（１７）は、回転被係合体（１３）の各被係合部（１２Ａ）（１２Ｂ）の近傍に基端側が揺動自在に支持され且つ先端側が周縁部（１１）から出没自在であり、回転被係合体（１３）が一方向に回転するときに先端が周縁部（１１）から没入する復帰片（２６）を有しており、
回転被係合体（１３）には、他方向に回転するときに周縁部（１１）から前記復帰片（２６）の先端が突出し解除保持部材（２５）を保持解消方向に押動可能とするべく当該復帰片（２６）を揺動規制する規制部（２７）が形成されていることを特徴とする請求項５に記載のフットレスト装置。
【請求項７】
前記解除保持部材（２５）を係合体（１４）の遠近移動方向に沿うように近接して配置することを特徴とする請求項６に記載のフットレスト装置。
【請求項８】
前記フットレスト（７）の上下高さ位置を変更可能とするべく一対の支持部材（３）（３）を椅子（２）前部に支軸（３２）回りに揺動自在に枢支し、
その上下高さ位置を保持する保持手段（２９）を設け、
この保持手段（２９）の保持状態を解除する操作体（３０）を椅子の左右一方外面に設けることを特徴とする請求項１〜７のいずれかに記載のフットレスト装置。
【発明の詳細な説明】
【技術分野】  本発明は、椅子等に備えられたマッサージ機能を有するフットレスト装置に関するものである。
【背景技術】  この種のフットレスト装置が備えられたものとしては、例えば、日本国公開特許公報、特開平１１−２９９５６５号公報に開示されたマッサージ椅子などがある。
このマッサージ椅子は、座部の後部に背もたれ部を、前部にフットレストをそれぞれ設け、背もたれ部には空気袋等のマッサージ部を備える一方、フットレストに対して足を嵌め込んで保持する保持溝を左右一対形成し、この保持溝の両側部に空気袋等のマッサージ部を設けたものとなっている。
また、背もたれ部は前後にリクライニング可能とされ、フットレストは支持部材を介して座部の前方に揺動可能に設けられている。背もたれ部を倒したときにフットレストは上方揺動し且つ背もたれ部を起こしたときにフットレストは下方揺動するように両者は連動されている。
上述のようなマッサージ椅子は、マッサージを行うために利用されるだけでなく、単なる椅子として利用されることも多い。
特に、この種のマッサージ椅子では、座部等に柔らかいクッションを内蔵している場合が多く、また、背もたれ部にリクライニング機能を有していることからソファとしての利用にも適したものとなっている。
しかし、フットレストについては、その一方面に下肢、特にふくらはぎの保持溝を形成したものとなっているため、マッサージ機能を使わない場合でも保持溝に下肢を嵌め込まなければならず、これによって足の自由な動きが制限され、楽な体勢をとることが困難となっていた。また、椅子の見栄えを損ねる一因ともなっていた。
ところが、フットレストの他方面は略平面であり、下肢部を載置するための下肢載置面として利用可能であり、加えて、その面を前面に向けることにより、椅子の見栄えをよくすることができるようになることが期待できる。
しかしながら、特開平１１−２９９５６５号公報に開示された技術は、フットレストを回動させ、一方面又は他方面を利用できる構成を有してはいない。
そこで、本発明は、上記問題点に鑑み、下肢マッサージを行う面を前面にする姿勢と下肢載置面を前面にする姿勢との双方でフットレストの姿勢変更が自在であるフットレスト装置を提供することを目的としたものである。
【発明の開示】
前記目的を達成するため、本発明は次の技術手段を講じた。
すなわち、本発明における課題解決のための技術的手段は、椅子前部から前方に突出する左右一対の支持部材と、この支持部材間に横軸回り回動自在に枢支され、一方面に下肢用マッサージ部を備えると共に他方面に下肢を載置可能な下肢載置面を備えたフットレストと、前記支持部材とフットレストとの間に、前記下肢用マッサージ部が前方を向くマッサージ姿勢と前記下肢載置面が前方を向くレスト姿勢とにフットレストを姿勢変更可能にする姿勢変更機構が備えられていることを特徴とする。
この技術的手段によれば、フットレストを横軸回りに回動しマッサージ姿勢に姿勢変更することができ、椅子に座った状態で下肢、特に脹ら脛のマッサージが可能となる。また、レスト姿勢に姿勢変更することができ、下肢を載置可能となる。
また、本発明における課題解決のための技術的手段は、前記姿勢変更機構は、周縁部にフットレストを前記マッサージ姿勢で位置固定するための被係合部と前記レスト姿勢で位置固定するための被係合部とが形成され、且つ前記横軸に同軸状に設けられている円板状の回転被係合体と、この回転被係合体の径方向に遠近移動すると共に、近方向移動で前記各被係合部に択一的に係脱自在に係合して当該回転被係合体の回動を規制する係合体と、この係合体を遠方向に移動させて前記係合を解除する解除手段と、この解除手段による解除状態を保持する解除保持手段と、この解除保持手段を非保持状態にすることで、係合体を回転被係合体に係合させる係合復帰手段と、を有することを特徴とする。
この技術的手段によれば、解除手段より回転被係合体と係合体との係合状態を解除できる上に、解除保持手段によりその状態を維持することができる。したがって、回転被係合体の回動が自在になり、フットレストをマッサージ姿勢とレスト姿勢とにそれぞれ姿勢変更可能となる。さらに、係合復帰手段により、解除保持手段を非保持状態にし、係合体を回転被係合体の各被係合部に係合させることで、前記各姿勢でフットレストを固定することができるようになる。
また、本発明における課題解決のための技術的手段は、前記解除手段は、係合体を回転被係合体から遠方向に離反移動させる解除操作体を有することを特徴とする。
この技術的手段によれば、解除操作体を操作することで、係合体を遠方向に離反移動させ、回転被係合体と係合体との係合状態を解除することができる。
なお、好ましくは、前記解除操作体は支持部材の外面に設けるようにするとよい。
そうすることで、支持部材の外面から容易に解除操作体を操作することができるようになる。
また、本発明における課題解決のための技術的手段は、前記解除保持手段は、係合体に設けられた係止部と、前記係合体が遠方向に離反した状態で前記係止部に係合可能な被係合部を備える解除保持部材と、を有していることを特徴とする。
この技術的手段によれば、係合体の係止部に、解除保持部材の被係合部が係合することで、係合体が遠方向に離反した状態で保持されるようになる。
また、本発明における課題解決のための技術的手段は、前記係合復帰手段は、回転被係合体の各被係合部の近傍に基端側が揺動自在に支持され且つ先端側が周縁部から出没自在であり、回転被係合体が一方向に回転するときに先端が周縁部から没入する復帰片を有しており、回転被係合体には、他方向に回転するときに周縁部から前記復帰片の先端が突出し解除保持部材を保持解消方向に押動可能とするべく当該復帰片を揺動規制する規制部が形成されていることを特徴とする。
この技術的手段によれば、回転被係合体が一方向に回転する際には、前記先端は周縁部の内側に没入し、解除保持部材を押動不能となるため、回転被係合体は回動自在のままとなる。
他方向へ回転の際は、復帰片の先端が周縁部より突出した状態のままで規制部により揺動規制される。したがって、当該先端で解除保持部材を押動し係合体の保持状態を解除することが可能となる。
また、本発明における課題解決のための技術的手段は、前記解除保持部材を係合体の遠近移動方向に沿うように近接して配置することを特徴とする。
この技術的手段によれば、解除係合体を配設する空間が小さくて済むことになり、省スペース化が図れる。
また、本発明における課題解決のための技術的手段は、前記フットレストの上下高さ位置を変更可能とするべく一対の支持部材を椅子前部に支軸回りに揺動自在に枢支し、その上下高さ位置を保持する保持手段を設け、この保持手段の保持状態を解除する操作体を椅子の左右一方外面に設けることを特徴とする。
この技術的手段によれば、フットレストは椅子前部において、その上下高さが変更可能となると共に、保持手段によりその位置が固定されるようになり、所定の位置で下肢を載置できるようになる。さらに、前記保持状態の解除を椅子の左右一方外面に設けられた操作体で行えるようになる。
【図面の簡単な説明】    図１は、フットレスト装置を備えたマッサージ椅子の正面斜視図である。
図２は、フットレスト装置のマッサージ姿勢を示す側面図である。
図３は、フットレスト装置のレスト姿勢を示す側面図である。
図４は、姿勢変更機構の第１実施形態の側面斜視図である。
図５は、同正面斜視図である。
図６は、同背面斜視図である。
図７は、同正面図である。
図８は、姿勢変更機構の第２実施形態の正面斜視図である。
【発明を実施するための最良の形態】  以下、本発明の実施の形態を図面に基づいて説明する。
図１〜７は本発明の第１実施形態を示すものであり、本実施形態のフットレスト装置１を備えたマッサージ椅子２を例示している。このマッサージ椅子２は、座部３３と、この座部３３を所定の高さに支持する左右一対の脚部３４，３４とを有しており、座部３３の後部には背もたれ部３５が設けられている。さらに前記座部３３の前部に、使用者の下肢（特にふくらはぎ）６４を下側から支持する等の役目を有するフットレスト７が備えられている。
なお、以下の説明において、左右方向、前後方向は、マッサージ椅子２に座った使用者から見たものとする。
前記座部３３は、使用者の臀部を下方から支持するに十分な広さを有しており、左右一対の脚部３４，３４に設けられた前後方向に伸びるベース部材３８，３８上に架け渡すように配設されている。
背もたれ部３５は、その下端部と前記座部３３の後部とが揺動自在に枢支されており、リクライニング機構（図示せず）によって、起伏揺動自在すなわちリクライニング可能となっている。背もたれ部３５の内部には、揉み又は叩きマッサージ等を行う背部マッサージ部３９が上下移動自在に内蔵されている。
このマッサージ部には、ローラや指圧突起等を機械的に運動させる構成や、空気袋（エアセル）を空気の給排により膨張収縮させる構成等が採用できる。
座部３３の左右両側で脚部３４，３４の上方には、使用者の両腕を載置可能な肘掛け部２０が設けられている。さらに、脚部３４，３４の一方外面（右側外面）には後述する操作体３０が設けられている。
前記左右一対のベース部材３８，３８の前部からは、左右一対の支持部材３，３が前方に突出している。この支持部材３，３は、図１，４に示す如く、側面視紡錘形で、支持部材基板４１とそれを覆うカバー４２から構成されている。支持部材基板４１の上端部が、ベース部材３８の両側に支軸３２回りに揺動自在に枢支されることで、支持部材３，３全体が上下方向に揺動可能となっている。支持部材３，３の一方でそのカバー４２外面には、後述の解除操作体５５が設けられている。
前記支軸３２の近傍には、幅方向を向く連結部材３１が両支持部材３，３間に架け渡されている。この連結部材３１には、支持部材３，３を揺動し且つその位置を固定する保持手段２９が連結されている。保持手段２９は、本実施形態の場合、伸縮長さが可変且つ固定可能なガスシリンダ４３であり、このガスシリンダ４３は、その長さが伸長すると共に伸長方向とは逆方向に力を加えることで長さが縮小し、且つ、所定の長さで固定可能である。
ガスシリンダ４３の基端は前記連結部材３１の略中央部に連結されており、その先端は座部３３後方且つ下方に固定されている。ガスシリンダ４３の固定状態を解除し伸縮自在にする操作体３０が、右脚部３４の外面に設けられている。
この操作体３０を操作（引き上げる）することで、ガスシリンダ４３の長さが伸縮可能となり、連結部材３１を介して支持部材３，３が支軸３２回りに揺動する。操作体３０を元に戻すことで、支持部材３，３をその位置で固定し保持することができるようになる。
前記左右一対の支持部材３，３の下端部でその間には、横軸４を介して前後に回動自在にフットレスト７が架設されている。
前記フットレスト７は、正面視略四角形状に形成されており、その左右側部の略中央を横軸４が貫通している。フットレスト７は、この横軸４により回動又は反転し、その表裏どちらかの面を前側に向けることができるようになっている。
図１及び２に示すように、フットレスト７の一方面（表面）は、下肢６４に対してマッサージを施すマッサージ面９とされ、このマッサージ面９が前方を向く姿勢をマッサージ姿勢とする。例えば、図１に示されているフットレスト装置はマッサージ姿勢をとっているものである。
このマッサージ面９の左右両部と中央とに支持壁３６が突設され、この支持壁３６の間に、下肢６４を嵌め込んで保持する保持溝３７が形成されている。また、各支持壁３６の対向面には、揉みマッサージを行う下肢用マッサージ装置が内蔵され、下肢用マッサージ部５となっている。
前記下肢用マッサージ装置としては、足の長さ方向に長い板材を左右に揺動させることによって揉みを施す構成としたり、空気の給排によって膨張収縮する空気袋で揉みを施す構成とすることもできる。
好ましくは、相対向する下肢６４の長さ方向に長い板材よりなる左右一対のマッサージ部材を有する揉み手段と、マッサージ部材をその長手方向が互いに逆向きに傾斜した状態で接近離反させ、下肢６４の長さ方向に対する傾斜度合いを変化させる駆動手段とを備えてなる下肢用マッサージ機を内臓するとよい。
また、保持溝の底部にもマッサージ装置を設けても良い。
図３に示すように、フットレスト７の他方面（裏面）は、略平坦な下肢載置面６として構成されており、フットレスト７を反転してこの面を前面に向けることにより足を載せることもできる（レスト姿勢）。この下肢載置面６は全体として足の動きが制限されないような形状、例えば、緩やかに弯曲する円弧面や緩やかな波形状等であればよい。下肢載置面６の内側には、クッション等の緩衝部材を内蔵することが好ましい。
前記支持部材３，３の一方（右側）でその下端部の内側には、前記フットレスト７をマッサージ姿勢又はレスト姿勢に姿勢変更可能とし、所定の位置で固定可能にする姿勢変更機構８が設けられている。
この姿勢変更機構８は、図４〜７に示すようなもので、横軸４の端部にほぼ円板状の回転被係合体１３が固定されている。この回転被係合体１３の周縁部１１には、マッサージ姿勢（マッサージ面９が前方を向く姿勢）でフットレスト７を姿勢固定するための被係合部１２Ａと、レスト姿勢（下肢載置面６が前方を向く姿勢）でフットレスト７を姿勢固定するための被係合部１２Ｂとが形成されている。これら被係合部１２Ａ，１２Ｂは、周縁部１１を凹形切り欠くことで形成されており、回転被係合体１３の周縁部１１のほぼ相対する位置に設けられている。
回転被係合体１３の反時計回転時（図７の矢印Ｌ方向）において、各被係合体１２Ａ，１２Ｂの近傍で且つその前側となる位置には、それぞれ係合復帰手段１７が設けられている。この係合復帰手段１７は、回転被係合体１３の側面に形成された扇形の凹部２８内部に、長尺の復帰片２６が設けられている構成となっている。
前記復帰片２６の基端は、回転被係合体１３の中心近傍に揺動自在に枢支されており、その先端部は山形に形成された上で、前記周縁部１１から出没自在となっている。復帰片２６の中央部には、コイルバネ等の弾性体４８が設けられており、扇形凹部２８の幅方向２つの辺のうち、被係合部１２Ａ，１２Ｂに近接する辺側に付勢されており、この近接する辺は、復帰片２６の揺動を規制する規制部２７を構成している。
例えば、図５に示された回転被係合体１３の上側に位置する復帰片２６は、図の左側方向には揺動可能でその先端は周縁部１１から没入するものの、図の右側方向には前記規制部２７により、その揺動が規制され先端部が周縁部１１から突出するようになっている。
前記回転被係合体１３の略上方には、係合体１４が設けられている。この係合体１４は、断面略矩形の長片であり、その先端には、前記被係合部１２Ａ，１２Ｂに択一的に係合可能な正面視凸形の係合部１８が形成されている。
この係合体１４の基端の内側は中空になっており、コイルバネ等の弾性体４８が内蔵された上で、押し出し片４９が内嵌している。この押し出し片４９の一端は支持部材基板４１に固定されているため、係合体１４は、回転被係合体１３の中心に対して遠近方向に移動可能である共に、常に近方向に付勢されるようになっている。
前記係合部１８が、被係合部１２Ａ，１２Ｂに択一的に係合することで、回転被係合体１３は固定されて、フットレスト７は各被係合部１２Ａ，１２Ｂに対応する姿勢位置で固定されることになる。
前記係合体１４の側面には、その遠近方向にラックギア５１が形成されており、このラックギア５１には解除ギア５２が噛合している。さらに、解除ギア５２を挟んで前記係合体１４とは反対側には解除ラックギア５３が噛合している。
この解除ラックギア５３をスライド移動することにより、解除ギア５２が回動し、前記係合体１４が、回転被係合体１３の径外方向に遠近スライドするようになる。すなわち、係合体１４を遠方向にスライドさせるように解除ラックギア５３を移動させることで、係合体１４と被係合部１２Ａ，１２Ｂの係合状態を解除させることができる。本実施形態の場合は、図５，６における矢印Ａ方向に解除ラックギア５３の上端を押すことにより、係合体１４を遠方向に移動させることができる。
右側の支持部材３のカバー４２には、前記解除ラックギア５３の上端を矢印Ａ方向に押す解除手段１５が設けられている。解除手段１５はカバー４２の外側に配設されている解除操作体５５と、その解除操作体５５をカバー４２に揺動自在に固定する固定軸５６と、この固定軸５６まわりに形成された押動片５７とを有している。
前記解除操作体５５を操作する（引き上げる）ことで、固定軸５６回りに押動片５７は移動し、解除ラックギア５３の上端を押し下げることになる。
本実施形態の場合、解除操作体５５と押動片５７は前記固定軸５６を支点とした梃子の関係になっているため、解除操作体５５の操作に要する力は少なくてすむようになっている。
また、係合体１４の近傍には解除保持手段１６が設けられている。すなわち、係合体１４の近傍に、板状の解除保持部材２５が設けられており、その基端は横軸４と略平行で且つ係合体１４の近傍に位置する枢支軸２２に枢支され揺動可能となっており、その先端部には、凸状の被係止部２４が設けられている。この解除保持部材２５の長手方向は係合体１４の遠近方向に略沿うようになっている。
このように解除係合体１４を配設することで、その配置空間が小さくて済み、省スペース化が図れる。
この解除保持部材２５の枢支軸２２の周囲には、ねじりコイルバネ５９が設けられており、その一方端はケース体６０に固定され、他方端は当該解除保持部材２５に固定されていることで、この解除保持部材２５は係合体１４に接近する方向に付勢されている。
さらに、前記係合体１４の側面には、外方突出の凸部からなる係止部２３が形成されており、係合体１４が遠方向に移動し被係合状態になった際には、前記係止部２３と被係止部２４とが引っ掛かりあい、解除保持部材２５と係合体１４とを係合状態に保持し、それにより回転被係合体１３の回動自在状態が保持されることになる。
なお、被係止部２４が凹部で係止部２３が凸部であってもよく、その逆であってもよい。両者が係合可能であれば何ら問題はない。
次に、本実施形態に係るフットレスト装置１の作動態様を図２〜７に基づいて述べる。
下肢６４をマッサージする際には、図２に示す如く、フットレスト７のマッサージ面９を前面に向け、使用者はマッサージ椅子２に座った上で、下肢６４を保持溝に嵌め込むことで保持し、下肢用マッサージ部５によって下肢マッサージが可能となる。
単なる椅子２として利用する場合には、図３に示す如く、フットレスト７の下肢載置面６を前面に向けてレスト姿勢とした上で足を載せることによって、自由に足を動かして楽な体勢をとることができるようになる。
フットレスト７の一方面から他方面への回動や反転は、解除操作体５５を一度操作する（引っ張る）ことにより可能となる。解除操作体５５を引っ張り上げると、押動片５７が解除ラックギア５３を下方へ押し下げることになり、係合体１４が遠方向にスライド移動する。これにより係合体１４と回転被係合体１３とが非係合状態になり、回転被係合体１３すなわちフットレスト７が反転又は回動自在となる。
この状態で解除保持手段１６が働くことで、係合体１４は遠方向に離反した状態で保持され固定されることになり、フットレスト７は、使用者が解除操作体５５を元に戻した状態であっても回動自在のままである。したがって、一方面又は他方面が前面にくる姿勢にフットレスト７を容易に回動することができる。
さらに、姿勢変更機構８により、自動的にフットレスト７は前記各姿勢で固定される。
フットレスト姿勢固定時には、姿勢変更機構８は以下のように作動する。例えば、図７において、回転被係合体１３が矢印Ｌ方向（反時計回り）に回動した場合は、被係合部１２Ａ近傍の復帰片２６の先端が、周縁部１１より突出した状態で、規制部２７によりその揺動が規制されることになる。したがって、解除保持部材１６を押動することができ、係合体１４の保持状態を解除することができるようになる。解除後は、被係合部１２Ａに係合部１８が嵌り込むことになり、その被係合部１２Ａに対応したマッサージ姿勢（マッサージ面２９が前面になる姿勢）に固定されることになる。
また、回転被係合体１３が矢印Ｒ方向（時計回り）に回動した場合は、被係合部１２Ｂ近傍の復帰片２６の先端は、解除保持部材２５に当たっても、周縁部１１より没入し、その方向には解除保持部材２５を押動することは不可能となる。
したがって、一旦、被係合部１２Ｂは係合体１４の下方を通過することになるが、この後、回転被係合体１３を矢印Ｌ方向に回動することで前述の如く、被係合部１２Ｂに係合部１８が係合し、その被係合部１２Ｂに対応したレスト姿勢（下肢載置面６が前面になる姿勢）に固定されることになる。
なお、被係合部１２Ａ，１２Ｂを周縁部１１の任意位置に形成することにより、フットレスト７の任意姿勢での固定が可能となる。例えば、マッサージ面９又は下肢載置面６が上方を向く位置で姿勢固定可能なように被係合部１２Ａ，１２Ｂを設けることもできる。
これにより、足の側面や裏を下肢用マッサージ部５によりマッサージすることが可能となったり、下肢載置面６に足を置くことができるようになる。
さらに、他の被係合部１２Ｃ等を形成することで、複数の姿勢にフットレストを変更し固定することができるようになる。
一方、マッサージ椅子２の側面に設けられた操作体３０を操作することで、座部３３の下方に設けられたガスシリンダ４３が伸び、連結部材３１を押すことで、支持部材３，３が支軸３２回りに揺動し、フットレスト７が上方に移動することになり、所定の高さ位置にフットレスト７を持ってくることが可能となる。その上で前記操作体３０を離すことで、ガスシリンダ４３の長さが固定され、フットレスト７の高さ位置が保持される。
このようにすることで、使用者が好むフットレスト７高さ位置で、下肢６４のマッサージ等を受けることができるようになる。この操作体３０と前記解除操作体５５は、マッサージ椅子２の同一側（右側）に設けられているため、片手での操作が可能であり、操作性が向上するようになっている。
しかしながら、操作体３０と前記解除操作体５５のそれぞれがマッサージ椅子２の別々の側面に設けられていても何ら問題はない。
図８は、フットレスト装置１にかかる姿勢変更機構８の第２実施形態を示すものである。第１実施形態とその構造は略同一であるものの、解除保持部材２５の構成が異なっている。
すなわち、解除保持部材２５は断面略矩形の長片であり、その先端には凸状の被係止部２４と、復帰片２６が当接し押動する被押動面６２が形成されている。この解除保持部材２５は係合体１４に対して略垂直方向に遠近するように移動し、近方向にコイルバネ等の弾性体４８で付勢されている。
第１実施形態と略同様に、係合体１４が遠方向にスライドした状態で前記被係止部２４が係止部２３に係合し、回転被係合体１３と係合体１４の非係合状態が保持されることになる。復帰片２６の先端が被押動面６２を押動することで、解除保持部材２５は係合体１４から離れる方向にスライドし前記保持状態が解除されることになる。
なお、本発明は、上記実施の形態に限定されるものではない。
すなわち、姿勢変更機構８はフットレスト７の内部に設けるようにしてもよく、支持部材３とフットレスト７との間の空間に配置してもなんら問題はない。
【産業上の利用可能性】  本発明は、マッサージ椅子に取り付けられるフットレスト装置に適用することが可能であり、ソファーや車両の座席等にも適用可能である。
【図１】
2004021961.tif 000003
【図２】
2004021961.tif 000004
【図３】
2004021961.tif 000005
【図４】
2004021961.tif 000006
【図５】
2004021961.tif 000007
【図６】
2004021961.tif 000008
【図７】
2004021961.tif 000009
【図８】
2004021961.tif 000010
【国際調査報告】
2004021961.tif 000011
2004021961.tif 000012
2004021961.tif 000013
2004021961.tif 000014